(57)【特許請求の範囲】
【請求項１】
猫などのペットが室内で使用するペット用トイレを囲うためのペットトイレ用具において、
前記ペットトイレ用具は、前記ペット用トイレを囲うように設置されるペットトイレ用具本体と、前記ペットトイレ用具本体の全体を覆うように装着されるペットトイレ用具専用カバーとから構成され、
前記ペットトイレ用具本体は、本体正面と本体後部に対向して配置される２枚の側板と、前記対向する２枚の側板の上部に取り付けられる通気性のある格子状の平らな天板とを有する共に、前記本体正面の側板にはペットの出入り用の入り口が形成され、前記２枚の側板と前記天板の中に前記ペット用トイレを囲うように設置し、
前記ペットトイレ用具専用カバーは、前記ペットトイレ用具本体の底面以外を全て覆うように形成されると共に前記ペットトイレ用具本体への装着状態で前記本体正面の側板の入り口と一致する位置にカバー正面入り口が形成され、前記ペットトイレ用具本体に対し覆うように被せて着脱自在に装着することを特徴とするペットトイレ用具。
【請求項２】
前記ペットトイレ用具専用カバーは、当該カバーの左右両サイド、もしくは、左か右のサイドを開閉できるカバー開閉部を有することを特徴とする請求項１記載のペットトイレ用具。
【請求項３】
前記ペットトイレ用具専用カバーは、ペット用トイレの臭いをキャッチし消臭を行う消臭効果を有することを特徴とする請求項１又は２記載のペットトイレ用具。
【発明の詳細な説明】
【技術分野】
【０００１】
本発明は、猫などのペットが室内で使用するペット用トイレを囲うためのペットトイレ用具に関する。
【背景技術】
【０００２】
室内で飼われている猫などのペットのためのトイレとしては、ペットが入る大きさのペット用トイレ内に猫砂やシーツを敷いて使用するタイプのものがあり、汚れた猫砂やシーツは適宜、取り替えられるようになっている。
【０００３】
この種のペットトイレ用具は、例えば、特許文献１,２等に記載されているように、ペット用トイレを、底と固定された側面４面で全体を囲う構成である。使用に際してはペット用トイレを、底と側面４面全体が囲われているペットトイレ用具内部に入れることで室内への猫砂の飛散を防止するように意図されている。
【先行技術文献】
【特許文献】
【０００４】
【特許文献１】特開２００８−１７８０１号公報
【特許文献２】特開平１１−３１８２５７号公報
【発明の概要】
【発明が解決しようとする課題】
【０００５】
しかしながら特許文献１,２等に記載されているような従来のペットトイレ用具は、ペット用トイレを底と固定された側面４面で全体を囲う構成であるため、ペット用トイレを清掃する際、ペット用トイレを適宜ペットトイレ用具から取り出す必要があり、作業し難く、毎日、頻繁に取り換え清掃をする際、不便を感じるものであった。
【０００６】
また、従来のペットトイレ用具は、上方が開口されていることから、上方からペット用トイレがまる見えのため、人目に付きにくい場所に配置するのが一般的であると共に、ペット用トイレからの臭いが上方に放出されてしまうものであった。さらに、上方は開口されていることから別の使い方はできなかった。
【０００７】
本発明は、上記のような従来の問題点に鑑みてなされたものであり、ペット用トイレを持ち上げて動かすこと無く、毎日の清掃や、猫砂やシーツの交換、洗浄作業も容易に行うことのできる利便性の高いペットトイレ用具を提供することを目的とする。また、本発明にあっては、デザイン性に優れ、どのような部屋への配置も可能とし、ペットにとって居心地の良いペットトイレ用具を提供することを目的とする。
【課題を解決するための手段】
【０００８】
上記した目的を達成するため、本発明に係るペットトイレ用具にあっては、猫などのペットが室内で使用するペット用トイレを囲うためのペットトイレ用具において、ペットトイレ用具は、ペット用トイレを囲うように設置されるペットトイレ用具本体と、ペットトイレ用具本体の全体を覆うように装着されるペットトイレ用具専用カバーとから構成され、ペットトイレ用具本体は、本体正面と本体後部に対向して配置される２枚の側板と、対向する２枚の側板の上部に取り付けられる通気性のある格子状の平らな天板とを有する共に、本体正面の側板にはペットの出入り用の入り口が形成され、２枚の側板と天板の中にペット用トイレを囲うように設置し、ペットトイレ用具専用カバーは、ペットトイレ用具本体の底面以外を全て覆うように形成されると共にペットトイレ用具本体への装着状態で本体正面の側板の入り口と一致する位置にカバー正面入り口が形成され、ペットトイレ用具本体に対し覆うように被せて着脱自在に装着する。
【０００９】
また、ペットトイレ用具専用カバーは、当該カバーの左右両サイド、もしくは、左か右のサイドを開閉できるカバー開閉部を有する。また、ペットトイレ用具専用カバーは、ペット用トイレの臭いをキャッチし消臭を行う消臭効果を有する。              
【発明の効果】
【００１０】
上述のように構成される本発明のペットトイレ用具によれば、ペット用トイレを囲うように設置されるペットトイレ用具本体の全体を覆うようにペットトイレ用具専用カバーを装着するため、ペット用トイレに敷く猫砂が部屋中に飛散する事が無く、また汚れたペット用トイレを持ち上げて動かすこと無く掃除ができ、さらにペット用トイレの汚れたシーツや猫砂の交換やペットトイレ用具各部材の洗浄作業も非常に行い易く、利便性の高いものとすることができる。
【００１１】
また、ペットトイレ用具専用カバーがペットトイレ用具本体に対して着脱可能に装着できるようにするため、日常的にはペットトイレ用具専用カバーをかけたまま使用し、清掃時など必要なときにはペットトイレ用具本体からペットトイレ用具専用カバーを外し、それぞれ本体やカバーを洗ったり拭いたりすることができ、利便性が高められ、洗浄作業も容易に行うことができる。ペットトイレ用具専用カバーは洗い替えができるため常に清潔に使う事ができる。
【００１２】
また、ペットトイレ用具本体の本体正面の側板にはペットの出入り用の入り口を有するため、正面の外側から容易に内部の様子を確認する事ができる。
【００１３】
平らな天板を有することで、ペットトイレ用具専用カバーを装着した状態でもペットトイレ用具本体の上でペットが休んだり、遊ぶ事ができ居心地が良い。
【００１４】
ペットトイレ用具専用カバーは、ペットトイレ用具本体に対し着脱自在に装着可能であることから、素材や柄、模様、色彩、絵柄の異なる種類のものを複数用意しておくことで、部屋の環境や雰囲気に合わせて交換すること事ができる。したがって、どのような部屋への配置も可能とでき、デザイン性に優れたものとなる。
【００１５】
さらに、ペットトイレ用具専用カバーにサイドを開閉できるカバー開閉部を有することで、カバーの交換を容易とすると共に、シーツや猫砂の取り替えや清掃を行う際、便利で好ましい。
【００１６】
また、ペットトイレ用具本体の底面以外を全て覆うように形成されるペットトイレ用具専用カバーに、ペット用トイレの臭いをキャッチし消臭を行う消臭効果を有するようにすることで、トイレの臭いを気にしなくて良くなるため、どのような部屋への配置も可能となる。また、上部に取り付けられる平らな天板は、格子状であり上下方向に通気性があるため、内部のペット用トイレの臭いは天板を通り抜けることになり、通り抜けた臭いは消臭効果を有するペットトイレ用具専用カバーでキャッチされるため、臭いをキャッチできる面積が広くなり、結果、消臭効果を向上することができる。
【図面の簡単な説明】
【００１７】
【図１】本発明に係るペットトイレ用具に専用カバーを装着した状態を示す斜視図である。
【図２】本発明に係るペットトイレ用具に装着した専用カバーの一部を開放して上方へ開いた状態を示す斜視図である。
【図３】本発明に係るペットトイレ用具の中にペット用トイレを入れた状態を示す参考断面図である。
【図４】本発明に係るペットトイレ用具のペットトイレ用具本体を取り出して示す斜視図である。
【発明を実施するための形態】
【００１８】
以下、本発明に係るペットトイレ用具の実施の形態について、図１〜図４を参照しつつ説明する。なお、以下の説明では例示したペット用トイレにおける方向性を、便宜上、図１、図２、図４に示すように斜視図方向を規定して説明するものとする。
【００１９】
図１〜図４に示すように本実施形態のペットトイレ用具は、ペット用トイレ４を囲うように設置されるペットトイレ用具本体1と、ペットトイレ用具本体1の全体を覆うように装着されるペットトイレ用具専用カバー５から構成される。
【００２０】
ペットトイレ用具本体1は、図４に示すように、本体正面と本体後部に起立されると共に対向して配置される本体正面側板２１と本体後部側板２２の２枚の側板と、対向する２枚の側板の上部に取り付けられる格子状の平らな天板２４とから構成され、全体として断面がコの字の形状をしている。
【００２１】
本体正面側板２１には、ペットの出入り用の入り口２３が形成される。上部に取り付けられる平らな天板２４は、格子状であり上下方向に貫通し通気性がある。２枚の側板２１,２２と天板２４で形成される空間の中にペット用トイレ４を囲うように配置して使用することになる。
【００２２】
図３に示すように、本体正面側板２１と本体後部側板２２の内面の下の部分を、下側程外側に削り傾斜面２５を形成することで、猫砂４１の本体１に対しての跳ね返りを防ぐことができる。
【００２３】
ペットトイレ用具本体1は、木材、プラスチック、金属、厚紙、アクリル、ガラスなどで形成できる。なお、本体の形状は、コの字状に限定されるものではない。
【００２４】
ペットトイレ用具専用カバー５は、ペットトイレ用具本体１の底面以外を全て覆うように形成されると共にペットトイレ用具本体１への装着状態で本体正面の側板の入り口２３と一致する位置にカバー正面入り口５５が形成される。具体的には、カバー本体正面５１と対向するカバー後部５６、ペットの出入り用のカバー正面入り口５５、カバー天板５２、カバー左開閉部５３、カバー右開閉部５４、カバー側面５７,５８から構成される。
【００２５】
ペットトイレ用具専用カバー５を、ペットトイレ用具本体１に対し、上方から覆うように被せて着脱自在に装着することで、ペットトイレ用具が完成されることになり、内部に底面以外の面を全て囲う収容空間が設けられることになる。ペットトイレ用具専用カバー５を、ペットトイレ用具本体１に対し装着しペットトイレ用具が完成すると、ペットトイレ用具本体１の入り口２３とカバー正面入り口５５とが一致することになり、この入り口により、ペットが自由に出入りできるようになると共に正面の外側から容易に内部のペット６やトイレ４の様子を確認する事ができる。完成したペットトイレ用具の収容空間内に、ペット用トイレ４を配置することで、猫砂４１が部屋に飛散し部屋を汚す事が防止することができると共にペット用トイレ４の目隠しになる。
【００２６】
ペットトイレ用具本体１の入り口２３とカバー正面入り口５５から形成された入り口は図にしめすような円形の他、楕円、矩形など、どのような形状であっても良い。ただし、底面から所定の高さに設けることでペット用トイレ４の中の猫砂４１が部屋に飛散し部屋を汚す事が防止することができると共にペット用トイレ４の目隠しになる。
【００２７】
ペットトイレ用具専用カバー５としては、通気性及び伸縮性を有する、例えば布やレザーを素材として用いることができる。カバーの素材としては、通気性及び伸縮性を有するものであればどのような素材であっても使用可能である。素材として、ナイロンを使用した場合には、他の素材と比べて猫の毛が付き難いことから、掃除の回数を減らすことができる。カバー５として通気性のある素材を使用することで、ペット用トイレ４の臭いがペットトイレ用具内にこもることを抑えることができる。
【００２８】
ペットトイレ用具専用カバー５は、ペット用トイレの臭いをキャッチし消臭を行う消臭効果を有することが望ましい。消臭効果を有する糸からなる布や、消臭効果のある材料を含浸させた布を使用することができる。消臭効果のある材料としては、炭、竹、珪藻土など公知の材料を使用する。
【００２９】
ペットトイレ用具本体１の底面以外を全て覆うように形成されるペットトイレ用具専用カバー５に、ペット用トイレの臭いをキャッチし消臭を行う消臭効果を有するようにすることで、トイレの臭いを気にしなくて良くなるため、どのような部屋への配置も可能となる。
【００３０】
ペット用トイレ４の臭いは、カバー５の両側のカバー側面５７,５８でキャッチされ消臭が行われる。また、上部に取り付けられる平らな天板２４は、格子状であり上下方向に通気性があるため、内部のペット用トイレ４の臭いは天板２４を通り抜けることになり、通り抜けた臭いは消臭効果を有するカバー５のカバー天板５２でキャッチされ消臭が行われるため、臭いをキャッチできる面積が広くなり、結果、消臭効果を向上することができる。
【００３１】
カバー左開閉部５３、カバー右開閉部５４としては、例えばファスナーや面ファスナーなどの留め具等を用いる事ができる。図1に示すようにペットトイレ用具専用カバー５のカバー側面５７の左右両サイド設けたカバー左開閉部５３、カバー右開閉部５４を使用することで、図２に示すようにカバー５の装着状態で、カバー側面５７を上方に開放することが可能となる。このように、ペットトイレ用具専用カバー５は、カバー左開閉部５３、カバー右開閉部５４を有し簡単に開閉ができるためペット用トイレ４を持ち上げて動かすこと無くペット用トイレ４のシーツや猫砂４１の取り替えや清掃を行うことができ利便性をより一層高めることができる。カバー開閉部は、カバー側面５７の反対面のカバー側面５８側にも設けることも可能である。なお、留め具はファスナーや面ファスナーなどの留め具に限定されないものである。
【００３２】
ペットトイレ用具専用カバー５は、ペットトイレ用具本体１に対し着脱自在に装着可能であることから、素材や柄、模様、色彩、絵柄の異なる種類のものを複数用意しておくことで、部屋の環境や雰囲気に合わせて交換すること事ができる。したがって、どのような部屋への配置も可能にでき、デザイン性に優れたものとなる。
【００３３】
ペットトイレ用具専用カバー５を装着したペットトイレ用具本体１は四角い形状の為、部屋の角にぴったりと設置することができ部屋の空間を無駄なく利用する事ができる。
【００３４】
ペットトイレ用具本体１は上部に平らな天板２４を有することで、ペットトイレ用具専用カバー５を装着した状態でも天板２４の上が、ペット６が休んだり、遊ぶ生活空間になるため、ペット６は居心地が良い。また、天板２４上に、爪研ぎ部材を垂直又は水平に設けることで、ペット６は更に居心地が良くなる。
【産業上の利用可能性】
【００３５】
本発明は、室内で飼われている猫や犬などのペットのためのペットトイレ用具として好適に利用することができる。
【符号の説明】
【００３６】
１    ペットトイレ用具本体
２１  本体正面側板
２２  本体後部側板
２３  本体正面側板の入り口
２４  天板
２５  傾斜面
４    ペット用トイレ
４１  猫砂
５    ペットトイレ用具専用カバー
５１  カバー本体正面
５２  カバー天板
５３  カバー左開閉部
５４  カバー右開閉部
５５  カバー正面入り口
５６  カバー後部
５７,５８  カバー側面
６    ペット
【図１】
0005838425.tif 000002
【図２】
0005838425.tif 000003
【図３】
0005838425.tif 000004
【図４】
0005838425.tif 000005